(57)【要約】【課題】  背景画像と背景画像上に重ねて表示されるオブジェクトの色を指定するデータとを含むデータセットを取得して動作環境を一括変更する際に、一連の変更処理の実行順序にバラツキが生じるのを抑制させた携帯通信端末を提供する。【解決手段】  背景画像を表示する背景画像表示部１４と、オブジェクトの色として複数組の表示色を規定する装飾テーブルを記憶する装飾テーブル記憶部１５ａと、装飾テーブルに基づいてオブジェクトを表示するオブジェクト表示部１５と、背景画像データ及び表示色指定データを含むデータセットを取得するデータセット取得部１１と、背景画像を含まずオブジェクトを含む一括変更画面を表示する一括変更画面表示部１８と、一括変更画面表示中の操作に基づいて、背景画像の変更処理を実行させ、この変更処理終了後にオブジェクト表示部１５にオブジェクトの表示色を変更する処理を実行させる一括変更制御部１３により構成される。【選択図】  図３
2008083362.tif 000002
【特許請求の範囲】
【請求項１】
背景画像上に表示オブジェクトを重ねて画面内に表示する携帯通信端末において、
背景画像データに基づいて上記背景画像を表示する背景画像表示手段と、
上記表示オブジェクトの表示色として複数組の表示色を規定する装飾テーブルを記憶する装飾テーブル記憶手段と、
上記装飾テーブルに基づいて上記表示オブジェクトを表示するオブジェクト表示手段と、
上記背景画像データ、及び、上記表示色の組を指定する表示色指定データを含むデータセットを外部機器から取得し、メモリ内に格納するデータセット取得手段と、
動作環境を一括変更するための入力画面であって、上記背景画像を含まず上記表示オブジェクトを含む一括変更画面を表示する一括変更画面表示手段と、
上記一括変更画面の表示中における一括変更操作に基づいてメモリから上記データセットを読み出し、上記背景画像表示手段に背景画像を変更する処理を実行させるとともに、この背景画像の変更処理終了後に上記オブジェクト表示手段に表示オブジェクトの表示色を変更する処理を実行させる一括変更制御手段とを備えたことを特徴とする携帯通信端末。
【請求項２】
電波状態に応じて異なるピクトグラムを表示するピクトグラム表示制御手段を備え、
上記一括変更制御手段が、一括変更時に、上記ピクトグラム表示制御手段に上記データセットに含まれるピクトグラムデータに基づいてピクトグラムを変更する処理を実行させるとともに、上記背景画像表示手段及び上記ピクトグラム表示制御手段よりも後に上記オブジェクト表示手段に表示オブジェクトの表示色を変更する処理を実行させることを特徴とする請求項１に記載の携帯通信端末。
【請求項３】
上記一括変更画面表示手段が、上記ピクトグラムと、このピクトグラムに比べてピクセル数の大きな上記表示オブジェクトとを含む一括変更画面を表示することを特徴とする請求項２に記載の携帯通信端末。
【請求項４】
上記外部機器が、通信ネットワーク上のウェブサーバであり、
上記データセット取得手段が、上記通信ネットワークを介して上記ウェブサーバから上記データセットを取得することを特徴とする請求項１に記載の携帯通信端末。
【請求項５】
背景画像上に表示オブジェクトを重ねて画面内に表示する携帯通信端末において、
背景画像データに基づいて上記背景画像を表示する背景画像表示手段と、
上記表示オブジェクトの表示色として複数組の表示色を規定する装飾テーブルを記憶する装飾テーブル記憶手段と、
上記装飾テーブルに基づいて上記表示オブジェクトを表示するオブジェクト表示手段と、
上記背景画像データ、及び、上記表示色の組を指定する表示色指定データを含むデータセットを外部機器から取得し、メモリ内に格納するデータセット取得手段と、
動作環境を一括変更するための入力画面であって、上記背景画像を含まず上記表示オブジェクトを含む一括変更画面を表示する一括変更画面表示手段と、
上記一括変更画面の表示中における一括変更操作に基づいてメモリから上記データセットを読み出し、上記オブジェクト表示手段に表示オブジェクトの表示色を変更する処理を実行させるとともに、この表示色の変更処理終了後に上記背景画像表示手段に背景画像を変更する処理を実行させる一括変更制御手段とを備えたことを特徴とする携帯通信端末。
【請求項６】
上記一括変更制御手段が、上記オブジェクト表示手段による表示色の変更処理終了時に処理終了を示すメッセージを上記一括変更画面上に表示することを特徴とする請求項５に記載の携帯通信端末。
【請求項７】
上記外部機器が、通信ネットワーク上のウェブサーバであり、
上記データセット取得手段が、上記通信ネットワークを介して上記ウェブサーバから上記データセットを取得することを特徴とする請求項５に記載の携帯通信端末。
【発明の詳細な説明】
【技術分野】
【０００１】
本発明は、携帯通信端末に係り、さらに詳しくは、背景画像上に表示オブジェクトを重ねて画面内に表示する携帯通信端末の改良に関する。
【背景技術】
【０００２】
近年、ユーザインターフェースに用いられる画像、音声及び色などを必要に応じてユーザの好みのものに変更することができる携帯電話機が普及している。例えば、待受時に表示させる背景画像、着信時に再生させる着信音、及び、画面表示を構成するアイコンなどの複数の画面構成部品の表示色を必要に応じて変更することができる。画面構成部品は、背景画像に重ねて画面内に配置される表示オブジェクトである。最近では、インターネット上のウェブサーバから背景画像データ、着信音データ、及び、各画面構成部品の表示色を指定するデータからなるデータセットを取得し、動作環境を一括して変更することができる携帯電話機も提案されている（例えば、特許文献１）。
【０００３】
特許文献１に記載の携帯電話機は、背景画像、アイコン、着信音などからなるデータセットをウェブサイトから取り込み、動作環境を一括して変更する処理を行っている。この携帯電話機では、データセットにおける背景画像データや着信音データの格納順に動作環境を変更する処理が行われる。
【特許文献１】特開２００４−２４８１７０号公報
【発明の開示】
【発明が解決しようとする課題】
【０００４】
ウェブサーバから携帯通信端末に提供される背景画像データや着信音データからなるデータセットについて、データの格納順序が規定されていない場合がある。この様なデータセットを用いて動作環境の一括変更を行う場合、データセットごとにデータ格納順序が異なるために、背景画像を変更する処理や着信音を変更する処理の実行順序にバラツキが生じるという問題があった。特に、複数の画面構成部品について表示色を一斉に変更するための配色指定データがデータセットに含まれ、配色指定データに基づいて各画面構成部品の表示色を変更する処理が行われる場合、動作環境の一括変更時にこの表示色変更処理が実際に行われる順序にバラツキが生じることから、一連の変更処理の実行に違和感を生じさせるという問題があった。すなわち、各画面構成部品の表示色変更処理は、実行結果が動作環境の一括変更のための入力画面に即時に反映され目立つことから、一連の変更処理の開始から表示色変更処理が実行されるまでの時間、或いは、表示色変更処理の実行から一連の変更処理が終了するまでの時間が、実行順序のバラツキにより一定せず、違和感を生じさせることとなる。
【０００５】
本発明は、上記事情に鑑みてなされたものであり、背景画像データと、背景画像上に重ねて表示される表示オブジェクトの表示色を指定する表示色指定データとを含むデータセットを外部機器から取得して動作環境を一括変更する際に、一連の変更処理の実行順序にバラツキが生じるのを抑制させた携帯通信端末を提供することを目的としている。特に、表示オブジェクトの表示色を変更する処理が行われる順序にバラツキを生じさせず、一連の変更処理の実行に違和感を生じさせることのない携帯通信端末を提供することを目的としている。
【課題を解決するための手段】
【０００６】
第１の本発明による携帯通信端末は、背景画像上に表示オブジェクトを重ねて画面内に表示する携帯通信端末であって、背景画像データに基づいて上記背景画像を表示する背景画像表示手段と、上記表示オブジェクトの表示色として複数組の表示色を規定する装飾テーブルを記憶する装飾テーブル記憶手段と、上記装飾テーブルに基づいて上記表示オブジェクトを表示するオブジェクト表示手段と、上記背景画像データ、及び、上記表示色の組を指定する表示色指定データを含むデータセットを外部機器から取得し、メモリ内に格納するデータセット取得手段と、動作環境を一括変更するための入力画面であって、上記背景画像を含まず上記表示オブジェクトを含む一括変更画面を表示する一括変更画面表示手段と、上記一括変更画面の表示中における一括変更操作に基づいてメモリから上記データセットを読み出し、上記背景画像表示手段に背景画像を変更する処理を実行させるとともに、この背景画像の変更処理終了後に上記オブジェクト表示手段に表示オブジェクトの表示色を変更する処理を実行させる一括変更制御手段とを備えて構成される。
【０００７】
この携帯通信端末では、背景画像データ及び表示色指定データを含むデータセットを保持している外部機器、例えば、通信ネットワーク上のウェブサーバなどの外部機器からデータセットが取得され、メモリ内に格納される。そして、一括変更画面の表示中における一括変更操作に基づいてデータセットがメモリから読み出され、一連の変更処理が実行される。その際、背景画像を変更する処理の終了後に表示オブジェクトの表示色を変更する処理が実行される。この様な構成により、外部機器から取得したデータセットについて、データ格納順序にかかわらず、表示オブジェクトの表示色を変更する処理が、常に、背景画像を変更する処理の終了後に実行されるので、一連の変更処理の実行順序にバラツキが生じるのを防止することができる。
【０００８】
第２の本発明による携帯通信端末は、上記構成に加え、電波状態に応じて異なるピクトグラムを表示するピクトグラム表示制御手段を備え、上記一括変更制御手段が、一括変更時に、上記ピクトグラム表示制御手段に上記データセットに含まれるピクトグラムデータに基づいてピクトグラムを変更する処理を実行させるとともに、上記背景画像表示手段及び上記ピクトグラム表示制御手段よりも後に上記オブジェクト表示手段に表示オブジェクトの表示色を変更する処理を実行させるように構成される。
【０００９】
第３の本発明による携帯通信端末は、上記構成に加え、上記一括変更画面表示手段が、上記ピクトグラムと、このピクトグラムに比べてピクセル数の大きな上記表示オブジェクトとを含む一括変更画面を表示するように構成される。
【００１０】
第４の本発明による携帯通信端末は、上記構成に加え、上記外部機器が、通信ネットワーク上のウェブサーバであり、上記データセット取得手段が、上記通信ネットワークを介して上記ウェブサーバから上記データセットを取得するように構成される。
【００１１】
第５の本発明による携帯通信端末は、背景画像上に表示オブジェクトを重ねて画面内に表示する携帯通信端末であって、背景画像データに基づいて上記背景画像を表示する背景画像表示手段と、上記表示オブジェクトの表示色として複数組の表示色を規定する装飾テーブルを記憶する装飾テーブル記憶手段と、上記装飾テーブルに基づいて上記表示オブジェクトを表示するオブジェクト表示手段と、上記背景画像データ、及び、上記表示色の組を指定する表示色指定データを含むデータセットを外部機器から取得し、メモリ内に格納するデータセット取得手段と、動作環境を一括変更するための入力画面であって、上記背景画像を含まず上記表示オブジェクトを含む一括変更画面を表示する一括変更画面表示手段と、上記一括変更画面の表示中における一括変更操作に基づいてメモリから上記データセットを読み出し、上記オブジェクト表示手段に表示オブジェクトの表示色を変更する処理を実行させるとともに、この表示色の変更処理終了後に上記背景画像表示手段に背景画像を変更する処理を実行させる一括変更制御手段とを備えて構成される。
【００１２】
この携帯通信端末では、一括変更画面の表示中における一括変更操作に基づいてデータセットがメモリから読み出され、一連の変更処理が実行される。その際、表示オブジェクトの表示色を変更する処理の終了後に背景画像を変更する処理が実行される。この様な構成により、外部機器から取得したデータセットについて、データ格納順序にかかわらず、表示オブジェクトの表示色を変更する処理が、常に、背景画像を変更する処理よりも前に実行されるので、一連の変更処理の実行順序にバラツキが生じるのを防止することができる。
【００１３】
第６の本発明による携帯通信端末は、上記構成に加え、上記一括変更制御手段が、上記オブジェクト表示手段による表示色の変更処理終了時に処理終了を示すメッセージを上記一括変更画面上に表示するように構成される。
【００１４】
第７の本発明による携帯通信端末は、上記構成に加え、上記外部機器が、通信ネットワーク上のウェブサーバであり、上記データセット取得手段が、上記通信ネットワークを介して上記ウェブサーバから上記データセットを取得するように構成される。
【発明の効果】
【００１５】
本発明による携帯通信端末によれば、外部機器から取得したデータセットについて、データ格納順序にかかわらず、表示オブジェクトの表示色を変更する処理が、常に、背景画像を変更する処理の終了後に実行されるので、一連の変更処理の実行順序にバラツキが生じるのを防止することができる。また、外部機器から取得したデータセットについて、データ格納順序にかかわらず、表示オブジェクトの表示色を変更する処理が、常に、背景画像を変更する処理よりも前に実行されるので、一連の変更処理の実行順序にバラツキが生じるのを防止することができる。従って、データセットを外部機器から取得して動作環境を一括変更する際に、表示オブジェクトの表示色を変更する処理が行われる順序にバラツキを生じさせず、一連の変更処理の実行に違和感を生じさせることのない携帯通信端末を実現することができる。
【発明を実施するための最良の形態】
【００１６】
図１は、本発明の実施の形態による携帯電話機１０を含む一括変更システム１００の一構成例を示した図である。この一括変更システム１００は、携帯電話機１０、基地局２０、通信ネットワーク２１及びウェブサーバ２２からなる通信システムである。携帯電話機１０は、基地局２０を介して移動体通信網に接続可能な通信端末である。通信ネットワーク２１は、移動体通信網とは異なる通信網であり、インターネットやＬＡＮ（Local Area Network）などが想定される。
【００１７】
ウェブサーバ２２は、通信ネットワーク２１に接続された情報処理装置であり、様々なコンテンツをウェブサイト上で提供している。この例では、運営管理する事業者の異なる複数のウェブサーバ２２が通信ネットワーク２１に接続されている。
【００１８】
ウェブサーバ２２は、ウェブサイト上で、携帯電話機用の一括変更パッケージ２３ａを提供している。この一括変更パッケージ２３ａは、携帯電話機１０において動作環境を一括変更する際に用いられるデータセットであり、待受画像データ、装飾指定データ、ピクトグラムデータ及び着信音データからなる。
【００１９】
待受画像データは、待受時に背景画像として表示される画像データである。装飾指定データは、画面表示を構成する複数の画面構成部品の表示色を指定するためのデータである。ピクトグラムデータは、動作状態に応じて異なるピクトグラム（絵文字）を表示するための画像データである。着信音データは、着信時に再生される音声データである。ウェブサーバ２２上の記憶装置２３内には、複数の一括変更パッケージ２３ａが格納されている。
【００２０】
基地局２０は、通信ネットワーク２１に接続されており、携帯電話機１０は、アドレスを指定して接続要求を送信すれば、通信ネットワーク２１上のウェブサーバ２２にアクセスすることができる。この携帯電話機１０では、必要に応じてウェブサーバ２２にアクセスし、ウェブサーバ２２上の記憶装置２３から所望の一括変更パッケージ２３ａを取得して動作環境を一括変更する処理が行われる。
【００２１】
図２は、図１の携帯電話機１０の概略構成の一例を示したブロック図である。この携帯電話機１０は、セルラー通信部１、主制御部２、操作入力部３、受話用レシーバ４、送話用マイクロホン５、スピーカ６及びディスプレイ７からなる。セルラー通信部１は、通信アンテナを介して基地局２０との間で電波の送受信を行う移動体通信処理手段である。主制御部２は、セルラー通信部１、操作入力部３、受話用レシーバ４、送話用マイクロホン５、スピーカ６及びディスプレイ７の動作を制御するプロセッサからなる。
【００２２】
操作入力部３は、操作キーの操作に基づいて入力信号を生成する動作を行っている。受話用レシーバ４は、通話時における音声信号の出力装置であり、送話用マイクロホン５は、音声の入力装置である。スピーカ６は、着信音データの出力装置である。ディスプレイ７は、表示画面を有する画像データの出力装置であり、例えば、ＬＣＤ（Liquid Crystal Display：液晶ディスプレイ）が用いられる。
【００２３】
図３は、図２の携帯電話機１０の要部における構成例を示したブロック図であり、主制御部２内の機能構成の一例が示されている。この主制御部２は、データセット取得部１１、パッケージ記憶部１２、一括変更制御部１３、背景画像表示部１４、オブジェクト表示部１５、装飾テーブル記憶部１５ａ、ピクトグラム表示制御部１６、着信音再生部１７及び一括変更画面表示部１８により構成される。
【００２４】
データセット取得部１１は、セルラー通信部１を介してウェブサーバ２２上の記憶装置２３から一括変更パッケージ２３ａを取得し、パッケージ記憶部１２内に格納する動作を行っている。パッケージ記憶部１２は、ウェブサーバ２２から取得された複数の一括変更パッケージ１２ａを記憶するメモリである。
【００２５】
この一括変更パッケージ１２ａは、待受画像データ３１、装飾指定データ３２、ピクトグラムデータ３３及び着信音データ３４からなる。待受画像データ３１は、待受時に背景画像として表示するための画像データである。装飾指定データ３２は、画面構成部品の表示色を指定するためのデータである。この画面構成部品は、背景画像上に重ねて表示画面内に表示される表示オブジェクトであり、アイコンやウィンドウの枠、その枠内の領域のことである。ここでは、各画面構成部品の表示色が組単位で指定され、表示色の指定データからなる複数の組を規定する装飾テーブルが、画面構成部品を表示する際に用いられるものとする。装飾指定データ３２は、この様な装飾テーブルにおける表示色の組を指定する識別データとなっている。
【００２６】
ピクトグラムデータ３３は、動作状態に応じて異なるピクトグラム（絵文字）を表示するための画像データである。この様なピクトグラムには、電波状態を示すアンテナピクト、電池残量を示す電池ピクト、日付や時刻を示す時計ピクト、メール受信を示すメールピクトなどがある。アンテナピクトは、電波状態の変化に応じて表示が変化する表示オブジェクトである。電池ピクトは、電池容量の低下に応じて表示が変化する表示オブジェクトである。時計ピクトは、日付や時刻の経過に応じて表示が変化する表示オブジェクトである。メールピクトは、電子メールを受信すると表示される表示オブジェクトである。
【００２７】
着信音データ３４は、着信時にスピーカ６から着信音を出力させるための音声データである。ここで、装飾指定データ３２は、単なる識別データであることから、画像データや音声データに比べてデータ量は小さいことから、待受画像データ３１、ピクトグラムデータ３３及び着信音データ３４よりもデータ量の小さなデータとなっている。また、アイコンやウィンドウなどの画面構成部品は、アンテナピクト、電池ピクト、時計ピクト及びメールピクトなどのピクトグラムに比べて、ピクセル数の大きな表示オブジェクトとなっている。
【００２８】
背景画像表示部１４は、ディスプレイ７の表示画面内に背景画像を表示する表示処理を行っている。この背景画像表示部１４では、動作環境の一括変更時に、一括変更パッケージ１２ａ内の待受画像データ３１に基づいて待受画像を変更する処理が行われる。ここで、背景画像表示部１４は、ウェブサーバ２２から取得された一括変更パッケージ１２ａが圧縮データからなる場合、待受画像を変更する際に、一括変更パッケージ１２ａ内の待受画像データ３１を伸張処理して画面表示用の画像データを生成するものとする。
【００２９】
装飾テーブル記憶部１５ａは、画面構成部品の表示色として複数組の表示色を規定する装飾テーブルを記憶する不揮発性メモリである。装飾テーブルは、各画面構成部品の表示色を組単位で指定し、表示色の指定データからなる複数の組を規定するデータセットである。例えば、画面構成部品の表示色を指定するデータ、画面構成部品における装飾用のパターン画像を指定するデータが、これらのデータの属する組を識別するための識別情報に対応付けて記述されている。つまり、識別情報を用いて表示色の組を１つ指定すれば、装飾テーブルに基づいて、画面構成部品ごとの表示色やパターン画像を指定することができる。
【００３０】
オブジェクト表示部１５は、装飾テーブル記憶部１５ａ内に格納されている装飾テーブルに基づいて、画面構成部品を背景画像上に重ねて表示画面内に表示する表示処理を行っている。このオブジェクト表示部１５では、動作環境の一括変更時に、一括変更パッケージ１２ａ内の装飾指定データ３２に基づいて装飾テーブル内の組を判断し、各画面構成部品の表示色を装飾テーブルで指定された表示色に変更する処理が行われる。
【００３１】
ピクトグラム表示制御部１６は、動作状態に応じて異なるピクトグラムを表示させる制御を行っている。このピクトグラム表示制御部１６では、動作環境の一括変更時に、一括変更パッケージ１２ａ内のピクトグラムデータ３３にピクトグラムを変更する処理が行われる。着信音再生部１７は、着信時に着信音をスピーカ６から再生させる処理を行っている。この着信音再生部１７では、動作環境の一括変更時に、一括変更パッケージ１２ａ内の着信音データ３４に着信音を変更する処理が行われる。
【００３２】
一括変更画面表示部１８は、動作環境を一括変更するための一括変更画面を表示する表示処理を行っている。この一括変更画面は、動作環境を一括変更する際にディスプレイ７上に表示される画面表示であり、待受画像を含まず画面構成部品を含む画面となっている。具体的には、待受画像とは異なる背景画像上にアイコンやウィンドウなどの画面構成部品、アンテナピクトや電池ピクトなどのピクトグラムが一括変更画面内に表示される。この場合、上記ピクトグラムと、このピクトグラムに比べてピクセル数の大きな画面構成部品とが一括変更画面内に表示されることとなる。
【００３３】
一括変更制御部１３は、一括変更画面の表示中における所定の一括変更操作に基づいて、パッケージ記憶部１２内からユーザが指定した一括変更パッケージ１２ａを読み出し、背景画像表示部１４、オブジェクト表示部１５、ピクトグラム表示制御部１６及び着信音再生部１７に変更処理を実行させる制御を行っている。
【００３４】
これらの変更処理のうち、画面構成部品の表示色を変更する処理は、一括変更パッケージ１２ａ内のデータ格納順位にかかわらず、待受画像の変更処理、ピクトグラムの変更処理、及び、着信音の変更処理が終了した後に、実行される。つまり、待受画像の変更処理、ピクトグラムの変更処理、及び、着信音の変更処理は、一括変更パッケージ１２ａ内のデータ格納順位に応じた順序で実行され、画面構成部品の表示色の変更処理については、常に、背景画像表示部１４、ピクトグラム表示制御部１６及び着信音再生部１７よりも後に実行される。ここでは、オブジェクト表示部１５による表示色の変更処理終了時に、処理終了を示すメッセージが一括変更画面上に表示されるものとする。
【００３５】
図４は、図２の携帯電話機１０における動作の一例を示した図であり、待受時にディスプレイ７上に表示される待受画面４１の一例が示されている。この待受画面４１は、待受時に表示される画面表示であり、例えば、ピクト領域４２、メイン領域４３及びアイコン領域４４からなる。ピクト領域４２は、ピクトグラムを表示するための表示領域であり、画面上段に配置されている。ここでは、アンテナピクト４２ａ、電池ピクト４２ｂ及び時計ピクト４２ｃがピクト領域４２内に配置されている。
【００３６】
アイコン領域４４は、操作キーに割り当てられている機能割り当てを示すアイコンを表示するための表示領域であり、画面下段に配置されている。ここでは、メニュー画面を表示させるためのメニューアイコン４４ａがアイコン領域４４内に配置されている。
【００３７】
メイン領域４３は、待受画像４５と、メッセージ４６などの画面構成部品とを表示するための表示領域であり、ピクト領域４２及びアイコン領域４４間の領域となっている。
【００３８】
図５は、図２の携帯電話機１０における動作の一例を示した図であり、動作環境の一括変更時にディスプレイ７上に表示される一括変更画面５１が示されている。この一括変更画面５１は、背景画像や着信音などの動作環境を設定変更する際に、ユーザ操作に基づいて表示される画面表示である。この例では、ユーザが指定した一括変更パッケージ１２ａに基づいて、待受画像、画面構成部品の表示色、ピクトグラム及び着信音を一括変更するか否かの照会画面が一括変更画面５１として表示されている。
【００３９】
一括変更画面５１のメイン領域内には、照会ウィンドウ５３、選択ボタン５３ａ及び５３ｂが配置されている。選択ボタン５３ａ及び５３ｂは、一括変更を実行させるか否かに応じて操作されるアイコン（表示オブジェクト）であり、照会ウィンドウ５３内に配置されている。ここでは、一方の選択ボタン５３ａを操作すると、一括変更処理が実行され、他方の選択ボタン５３ｂを操作すると、一括変更処理は実行されずに、元の設定画面に復帰するものとする。
【００４０】
一括変更画面５１のアイコン領域内には、メニューアイコン４４ａの他に、動作環境の設定変更モードを終了して元の画面表示に復帰させるための終了アイコン５４ａが配置されている。
【００４１】
画面構成部品の表示色の変更処理では、ピクトグラム４２ａ〜４２ｃ、照会ウィンドウ５３枠、この枠内の文字列、選択ボタン５３ａ，５３ｂ、アイコン４４ａ，５４ａ及びアイコン領域の枠５４の各表示色と、ピクト領域内の背景、メイン領域内の背景５２、照会ウィンドウ５３枠内の背景５３ｃ，５３ｄ及びアイコン領域内の背景５４ｂの各パターン画像とが変更される。
【００４２】
図６は、図２の携帯電話機１０における構成例を示した図であり、主制御部２の装飾テーブル記憶部１５ａ内に格納されている装飾テーブルの一例が示されている。この装飾テーブルは、画面構成部品を表示する際に、各画面構成部品の表示色を決定するのに用いられるデータセットからなる。この例では、画面構成部品の表示色を指定するデータと、画面構成部品におけるパターン画像を指定するデータとからなるデータセットを１組として、複数組のデータセットが識別情報に対応付けて記述されている。
【００４３】
具体的は、識別情報「テーマａ１」に対応付けて、各画面構成部品「オブジェクト１」、「オブジェクト２」、「オブジェクト３」、・・・の表示色指定データ又はパターン画像指定データｂ１１、ｂ１２、ｂ１３、・・・が記述されている。また、識別情報「テーマａ２」に対応付けて、各画面構成部品の表示色指定データ又はパターン画像指定データｂ２１、ｂ２２、ｂ２３、・・・が記述されている。また、識別情報「テーマａ３」に対応付けて、各画面構成部品の表示色指定データ又はパターン画像指定データｂ３１、ｂ３２、ｂ３３、・・・が記述されている。
【００４４】
画面構成部品の表示は、この様な装飾テーブルに基づいて行われ、識別情報「テーマａ１」、「テーマａ２」、「テーマａ３」、・・・の１つを指定することにより、各画面構成部品「オブジェクト１」、「オブジェクト２」、「オブジェクト３」、・・・の表示色及びパターン画像が決定される。
【００４５】
図７（ａ）及び（ｂ）は、図２の携帯電話機１０における動作の一例を示した遷移図であり、図７（ａ）には、動作環境の一括変更処理中に出力される画面表示が示され、図７（ｂ）には、一括変更処理の終了時に出力される画面表示が示されている。動作環境の一括変更処理中には、処理中であることを示すメッセージ「着せ替え中」が配置されたウィンドウ５５が一括変更画面５１のメイン領域内に表示される。
【００４６】
動作環境の一括変更処理の終了時には、処理終了を示すメッセージ「着せ替え完了」が配置されたウィンドウ５６が表示される。この一括変更処理では、アンテナピクト及び電池ピクトを変更する処理が終了してから、アンテナピクト、電池ピクト、時計ピクト、ウィンドウ、アイコン４４ａ，５４ａの表示色と、メイン領域内の背景５２、アイコン領域内の背景５４ｂのパターン画像とが変更される。
【００４７】
この様な構成により、一括変更時の画面表示に即時に反映され、しかも、変更されるピクセル数が大きくて目立つ画面構成部品の表示色変更処理が、常に、待受画像、ピクトグラム及び着信音の変更処理終了後に実行されるので、一連の変更処理の開始から表示色変更処理が実行されるまでの時間が大きくばらつくのを防止することができる。
【００４８】
図８のステップＳ１０１〜Ｓ１０６は、図２の携帯電話機１０における一括変更動作の一例を示したフローチャートである。まず、データセット取得部１１は、これから取得しようとする一括変更パッケージがユーザによりウェブサイト上で指定されると、ウェブサーバ２２上の記憶装置２３から一括変更パッケージ２３ａを取得してパッケージ記憶部１２内に格納する（ステップＳ１０１，Ｓ１０２）。
【００４９】
次に、一括変更制御部１３は、ユーザによる一括変更操作に基づいて動作環境の一括変更が指示されると、パッケージ記憶部１２からユーザが指定した一括変更パッケージ１２ａを読み出し、背景画像表示部１４、オブジェクト表示部１５、ピクトグラム表示制御部１６及び着信音再生部１７に変更処理を実行させる（ステップＳ１０３，Ｓ１０４）。
【００５０】
このとき、画面構成部品（表示オブジェクト）の表示色や装飾を変更する処理は、待受画像、ピクトグラム及び着信音の変更処理終了後に実行される（ステップＳ１０５）。一括変更制御部１３は、オブジェクト表示部１５による画面構成部品の変更処理が終了すると、終了メッセージを一括変更画面上に表示する（ステップＳ１０６）。
【００５１】
本実施の形態によれば、ウェブサーバ２２から取得した一括変更パッケージ２３ａのデータ格納順序にかかわらず、画面構成部品の表示色を変更する処理が、常に、背景画像、ピクトグラム及び着信音を変更する処理の終了後に実行されるので、一連の変更処理の実行順序にバラツキが生じるのを防止することができる。従って、一括変更パッケージ２３ａを外部機器から取得して動作環境を一括変更する際に、表示オブジェクトの表示色を変更する処理が行われる順序にバラツキを生じさせず、一連の変更処理の実行に違和感を生じさせることのない携帯通信端末を実現することができた。
【００５２】
なお、本実施の形態では、動作環境の一括変更処理が一括変更画面の表示中におけるユーザ操作に基づいて開始される場合の例について説明したが、本発明はこれに限られるものではない。例えば、ウェブサーバ２２上の記憶装置２３から一括変更パッケージ２３ａを取得した際に、ユーザ操作を必要とすることなく、自動的に一括変更処理が開始されるような構成であっても良い。
【００５３】
また、本実施の形態では、待受画像の変更処理終了後に表示オブジェクトの表示色を変更する処理が実行される場合の例について説明したが、本発明はこれに限られるものではない。例えば、表示オブジェクトの表示色を変更する処理の終了後に、待受画像を変更する処理が実行されるような構成であっても良い。具体的には、一括変更画面の表示中における一括変更操作に基づいて、パッケージ記憶部１２内から一括変更パッケージ１２ａが読み出され、背景画像表示部１４、オブジェクト表示部１５、ピクトグラム表示制御部１６及び着信音再生部１７に変更処理を実行させる制御が行われる。
【００５４】
その際、これらの変更処理のうち、画面構成部品の表示色を変更する処理は、一括変更パッケージ１２ａ内のデータ格納順位にかかわらず、待受画像の変更処理、ピクトグラムの変更処理、及び、着信音の変更処理よりも前に、実行される。つまり、まず、画面構成部品の表示色を変更する処理が実行され、この変更処理の終了後に、待受画像の変更処理、ピクトグラムの変更処理、及び、着信音の変更処理が、一括変更パッケージ１２ａ内のデータ格納順位に応じた順序で実行される。従って、画面構成部品の表示色の変更処理については、常に、背景画像表示部１４、ピクトグラム表示制御部１６及び着信音再生部１７よりも前に実行される。
【００５５】
この様な構成によれば、ウェブサーバ２２などの外部機器から取得した一括変更パッケージのデータ格納順序にかかわらず、表示オブジェクトの表示色を変更する処理が、常に、背景画像、ピクトグラム及び着信音を変更する処理よりも前に実行されるので、一連の変更処理の実行順序にバラツキが生じるのを防止することができる。この様な構成では、一括変更時の画面表示に即時に反映され、しかも、変更されるピクセル数が大きくて目立つ表示オブジェクトの表示色変更処理が、常に、先に実行される。そこで、オブジェクト表示部１５による表示色の変更処理終了時に、終了メッセージを一括変更画面上に表示させることが考えられる。この様にすれば、一括変更処理が継続中であるにもかかわらず、一括変更処理が終了したかのように見せかけることができる。
【図面の簡単な説明】
【００５６】
【図１】本発明の実施の形態による携帯電話機１０を含む一括変更システム１００の一構成例を示した図である。
【図２】図１の携帯電話機１０の概略構成の一例を示したブロック図である。
【図３】図２の携帯電話機１０の要部における構成例を示したブロック図であり、主制御部２内の機能構成の一例が示されている。
【図４】図２の携帯電話機１０における動作の一例を示した図であり、待受時にディスプレイ７上に表示される待受画面４１の一例が示されている。
【図５】図２の携帯電話機１０における動作の一例を示した図であり、動作環境の一括変更時にディスプレイ７上に表示される一括変更画面５１が示されている。
【図６】図２の携帯電話機１０における構成例を示した図であり、主制御部２の装飾テーブル記憶部１５ａ内に格納されている装飾テーブルの一例が示されている。
【図７】図２の携帯電話機１０における動作の一例を示した遷移図であり、一括変更処理中の画面表示及び一括変更処理終了時の画面表示が示されている。
【図８】図２の携帯電話機１０における一括変更動作の一例を示したフローチャートである。
【符号の説明】
【００５７】
１  セルラー通信部
２  主制御部
３  操作入力部
４  受話用レシーバ
５  送話用マイクロホン
６  スピーカ
７  ディスプレイ
１０  携帯電話機
１１  データセット取得部
１２  パッケージ記憶部
１２ａ  一括変更パッケージ
１３  一括変更制御部
１４  背景画像表示部
１５  オブジェクト表示部
１５ａ  装飾テーブル記憶部
１６  ピクトグラム表示制御部
１７  着信音再生部
１８  一括変更画面表示部
２０  基地局
２１  通信ネットワーク
２２  ウェブサーバ
２３  記憶装置
２３ａ  一括変更パッケージ
４１  待受け画面
５１  一括変更画面
１００  一括変更システム
【図１】
2008083362.tif 000003
【図２】
2008083362.tif 000004
【図３】
2008083362.tif 000005
【図５】
2008083362.tif 000006
【図６】
2008083362.tif 000007
【図７】
2008083362.tif 000008
【図８】
2008083362.tif 000009
【図４】
2008083362.tif 000010